(57)【特許請求の範囲】
【請求項１】
平坦状に圧縮成形された杉のバークと、該バークを上側及び下側から挟み込んだ生分解性を有する上布帛及び下布帛と、この積層状の上布帛、バーク及び下布帛を一体に縫製してなる生分解性を有する糸とから長尺帯状のロール体に構成されることを特徴とする杉皮防草マット。
【請求項２】
前記バークは杉の樹皮を粉砕した繊維チップ状であり、前記上布帛及び下布帛はポリ乳酸系樹脂などの生分解性を有する樹脂シートや天然繊維の麻布であり、前記糸はポリ乳酸系樹脂などの生分解性を有する撚糸や天然繊維の麻糸であることを特徴とする請求項１記載の杉皮防草マット。
【請求項３】
繰出された下布帛の上に乾燥した杉のバークを所定厚さで載せ、前記下布帛に前記バークを載せた状態で平坦状に圧縮成形し、さらに前記バークを上側から上布帛で挟み圧縮移送し、この積層状の上布帛、バーク及び下布帛を生分解性を有する糸で一体に縫製し、この一体に縫製された上布帛、バーク及び下布帛を長尺帯のロール状に巻き取ることを特徴とする杉皮防草マットの製造方法。
【請求項４】
乾燥した杉のバークを粉砕送風機により粉砕して圧送するサイロへの粉砕送り装置と、該サイロへの粉砕送り装置から前記バークをサイクロンにより吸込み、前記バークを貯留させるバーク乾燥原料サイロと、該バーク乾燥原料サイロ内に貯留された前記バークを所定幅で底部から移送するメインスクリューと、該メインスクリューの先端に配置されたシュートと、該シュートにより落下された前記バークを均一に均すバーク均しスクリューと、前記シュートから落下された前記バークを載せて前記シュートの直下を経て下流末端の巻取装置へ下布帛を繰り出しする下布帛供給装置と、前記下布帛に載ったバークを平坦状に圧縮成形するバーク圧縮装置と、前記圧縮されたバークの上側から上布帛を被せ、下流末端の巻取装置へ上布帛を繰り出しする上布帛供給装置と、前記上布帛、バーク及び下布帛を積層状に挟み込みながら圧縮搬送する挟み込み搬送装置と、前記積層状の上布帛、バーク及び下布帛を生分解性を有する糸で一体に縫製する畳縫製機と、前記一体に縫製された上布帛、バーク及び下布帛を長尺帯のロール状に巻き取る巻取装置とからなることを特徴とする杉皮防草マットの製造装置。
【発明の詳細な説明】
【技術分野】
【０００１】
本発明は、雑草の発生を抑制や表土の流出を防止するための、防草や法面の保護に利用される杉皮防草マット、その製造方法及び製造装置に関する。
【背景技術】
【０００２】
製材工場の初期工程で発生するバーク（木の樹皮）は、積極的に利活用されておらず、その多くは産業廃棄物処分か非効率ではあるが、熱源の燃料として焼却されている。
【０００３】
従来、生分解性を有するネット（網目）または布帛（ふはく）にて袋体を形成し、この袋体の中に樹皮を充填した樹皮マットが知られている（特許文献１を参照）。
この公知技術は、樹皮マットを地面に敷設して防草を行い、又はこれを法面に敷設して法面を保護し、好適には法面に法枠を形成し、この法枠の内側に樹皮マットを敷設するものである。
【０００４】
この公知の樹皮マットは、矩形状に縫製された袋体に単に樹皮を袋詰めしたものであり、法面保護に使用した場合には、法枠を形成したり、竹串等で固定しなければならず、作業性に問題があった。
【先行技術文献】
【特許文献】
【０００５】
【特許文献１】特開２００６−３２０２４４号公報
【発明の概要】
【発明が解決しようとする課題】
【０００６】
本発明は、防草や法面の保護に利用するため、平坦状に圧縮成形された杉のバークと、該バークを上側及び下側から挟み込んだ生分解性を有する上布帛及び下布帛と、この積層状の上布帛、バーク及び下布帛を一体に縫製してなる生分解性を有する糸とから構成される杉皮防草マットを提供することを目的とする。
【課題を解決するための手段】
【０００７】
本発明の杉皮防草マットは、平坦状に圧縮成形された杉のバークと、該バークを上側及び下側から挟み込んだ生分解性を有する上布帛及び下布帛と、この積層状の上布帛、バーク及び下布帛を一体に縫製してなる生分解性を有する糸とから長尺帯状のロール体に構成される。
前記バークは杉の樹皮を粉砕した繊維チップ状であり、前記上布帛及び下布帛はポリ乳酸系樹脂などの生分解性を有する樹脂シートや天然繊維の麻布であり、前記糸はポリ乳酸系樹脂などの生分解性を有する撚糸や天然繊維の麻糸である。
【０００８】
本発明の杉皮防草マットの製造方法は、繰出された下布帛の上に乾燥した杉のバークを所定厚さで載せ、前記下布帛に前記バークを載せた状態で平坦状に圧縮成形し、さらに上側から前記バークを上布帛で挟み圧縮移送し、この積層状の上布帛、バーク及び下布帛を生分解性を有する糸で一体に縫製し、前記一体に縫製された上布帛、バーク及び下布帛を長尺帯のロール状に巻き取るものである。
【０００９】
本発明の杉皮防草マットの製造装置は、乾燥した杉のバークを粉砕送風機により粉砕して圧送するサイロへの粉砕送り装置と、該サイロへの粉砕送り装置から前記バークをサイクロンにより吸込み、前記バークを貯留させるバーク乾燥原料サイロと、該バーク乾燥原料サイロに貯留された前記バークを所定幅で底部から移送するメインスクリューと、該メインスクリューの先端に配置されたシュートと、該シュートにより落下された前記バークを均一に均すバーク均しスクリューと、前記シュートから落下された前記バークを載せて前記シュートの直下を経て下流末端の巻取装置へ下布帛を繰り出しする下布帛供給装置と、前記下布帛に載ったバークを平坦状に圧縮成形するバーク圧縮装置と、前記圧縮されたバークの上側から上布帛を被せ、下流末端の巻取装置へ上布帛を繰り出しする上布帛供給装置と、前記上布帛、バーク及び下布帛を積層状に挟み込みながら圧縮搬送する挟み込み搬送装置と、前記積層状の上布帛、バーク及び下布帛を生分解性を有する糸で一体に縫製する畳縫製機と、前記一体に縫製された上布帛、バーク及び下布帛を長尺帯のロール状に巻き取る巻取装置とからなる。
【発明の効果】
【００１０】
本発明の杉皮防草マットは、平坦状に圧縮成形された杉のバークと、該バークを上側及び下側から挟み込んだ生分解性を有する上布帛及び下布帛と、この積層状の上布帛、バーク及び下布帛を一体に縫製してなる生分解性を有する糸とから長尺帯状のロール体に構成するため、保水性、通気性に優れており、適度の剛性を有し、防草や法面の保護に利用する際に、ロールを巻き戻しながら敷設することができると共に、長尺帯のロール状マットを適宜大きさに裁断して使用することができ、長期的には生分解性を有する効果がある。
前記バークは杉の樹皮を粉砕した繊維チップ状であり、前記上布帛及び下布帛はポリ乳酸系樹脂などの生分解性を有する樹脂シートや天然繊維の麻布であり、前記糸はポリ乳酸系樹脂などの生分解性を有する撚糸や天然繊維の麻糸であるため、植物生長抑制効果が大きいし、また長期的には生分解性を有する効果がある。
本発明の杉皮防草マットの製造方法は、化学物質を一切使用しないので環境への配慮が大きいと共に、天然素材のみ材料とするので自然分解され廃棄処分コストがない。
本発明の杉皮防草マットの製造装置は、連続的に製造することができるため、製造コストを軽減できると共に、製品品質を均一にできる。
【図面の簡単な説明】
【００１１】
【図１】本発明の杉皮防草マットの斜視図である。
【図２】本発明の杉皮防草マットの製造装置の右側面図である。
【図３】本発明の杉皮防草マットの製造装置の正面図である。
【図４】本発明の杉皮防草マットの製造装置の平面図である。
【発明を実施するための形態】
【００１２】
本発明の杉皮防草マットの一実施例を添付図面に基づいて、以下に説明する。
図１の斜視図に示すように、本発明の杉皮防草マットは、生分解性を有する下布帛１の上に、杉の木から剥ぎ取った繊維チップ状のバーク（樹皮）２を適宜厚さに敷き詰め、さらにその上に生分解性を有する上布帛３を重ねてサンドイッチ状に形成し、このサンドイッチ状に形成した上布帛３、バーク２及び下布帛１を一体に縫製する生分解性を有する糸４とから長尺帯状のロール体に構成される。
【００１３】
前記下布帛１は、ポリ乳酸系樹脂などの生分解性を有する樹脂シートや天然繊維の麻布からなり、保水性、通気性、生分解性に優れている。
【００１４】
前記バーク２は、杉の木から剥ぎ取った繊維チップ状の樹皮であり、厚さを２〜５ｃｍに圧縮成形する。杉皮が、特に植物生長抑制効果が大きい。
【００１５】
前記上布帛３は、上布帛１と同様に、ポリ乳酸系樹脂などの生分解性を有する樹脂シートや天然繊維の麻布からなり、保水性、通気性、生分解性に優れている。
【００１６】
前記糸４は、ポリ乳酸系樹脂などの生分解性を有する撚糸や天然繊維の麻糸からなり、生分解性に優れている。
【００１７】
次に、本発明の杉皮防草マットの製造装置の一実施例を添付図面に基づいて、以下に説明する。
本発明の杉皮防草マットの製造装置は、図２の右側面図に示すように、乾燥した杉のバークを圧送するサイロへの粉砕送り装置５と、該サイロへの粉砕送り装置５から前記バークをサイクロン６により吸込み、前記バークを貯留させるバーク乾燥原料サイロ７と、該バーク乾燥原料サイロ７内に貯留された前記バークを所定幅で底部から移送するメインスクリュー８と、該メインスクリュー８の先端に配置されたシュート９と、該シュート９により落下された前記バークを均一に均すバーク均しスクリュー１０と、前記シュート９から落下された前記バークを載せて前記シュート９の直下を経て下流末端の巻取装置１６へ下布帛を繰り出しする下布帛供給装置１１と、前記下布帛に載ったバークを平坦状に圧縮成形するバーク圧縮装置１２と、前記圧縮されたバークの上側から上布帛を被せ、下流末端の巻取装置１６へ上布帛を繰り出しする上布帛供給装置１３と、前記上布帛、バーク及び下布帛を積層状に挟み込みながら圧縮搬送する挟み込み搬送装置１４と、前記積層状の上布帛、バーク及び下布帛を生分解性を有する糸で一体に縫製する畳縫製機１５と、前記一体に縫製された上布帛、バーク及び下布帛を長尺帯のロール状に巻き取る巻取装置１６とから構成される。
【００１８】
図２に示すように、前記サイロへの粉砕送り装置５は、乾燥した杉のバークを吸引する吸引ホース１７と、該吸引ホース１７に接続され、粉砕して圧送する粉砕送風機１８とからなる。
前記バーク乾燥原料サイロ７は、前記サイロへの粉砕送り装置５から給送ダクト１９を介して前記バークを吸込むサイクロン６と、該サイクロン６から分離された前記バークを貯留させる。
前記メインスクリュー８は、前記バーク乾燥原料サイロ７の底部に複数、図４の平面図に示す本実施例では４本並列に配置し、案内ダクト２０を介して水平方向に前記バークを移送する。
図３の正面図に示すように、前記シュート９は、前記メインスクリュー８の先端に配置される。
前記バーク均しスクリュー１０は、前記シュート９から落下された前記バークを均一に均す。
前記下布帛供給装置１１は、前記バーク均しスクリュー１０で均された前記バークを載せて下流末端の巻取装置１６へ下布帛を繰り出しする。
前記バーク圧縮装置１２は、前記下布帛に載ったバークを平坦状に圧縮成形する上下一対の押圧ローラー２１からなる。
前記上布帛供給装置１３は、前記上布帛を圧縮されたバークの上側に被せ、上布帛を下流末端の巻取装置１６へ繰り出しする。
前記挟み込み搬送装置１４は、前記上布帛、バーク及び下布帛を積層状に挟み込みながら圧縮搬送する。
前記畳縫製機１５は、前記積層状の上布帛、バーク及び下布帛を生分解性を有する糸で一体に縫製する。
前記巻取装置１６は、一体に縫製された上布帛、バーク及び下布帛を長尺帯のロール状に巻き取る。
【００１９】
次に、本発明の杉皮防草マットの製造装置の操作動作を添付図面に基づいて、以下に説明する。
図２に示すように、杉の木から剥ぎ取った繊維チップ状のバークを乾燥させ、運搬車により搬送されてきた前記バークをバーク置き場建屋内のバーク置き場に堆積する。
前記バーク置き場に堆積され乾燥した前記バークを吸引ホース１７により吸込み、粉砕送風機１８により粉砕して給送ダクト１９を経てバーク乾燥原料サイロ７へ圧送する。
前記バーク乾燥原料サイロ７の上部にはサイクロン６が設けられており、前記乾燥したバークを前記サイロへの粉砕送り装置５からサイクロン６により吸込み、前記バーク乾燥原料サイロ７内に前記バークを貯留させ、空気は消音器２２を介して外気に放出する。
前記バーク乾燥原料サイロ７内に貯留された前記バークは、底部に複数並列に水平配置したメインスクリュー８により案内ダクト２０を介して既設建屋内に所定幅で底部から移送される。
前記メインスクリュー８の先端にシュート９が配置され、メインスクリュー８により移送された前記バークがシュート９を介して下方へ落下する。
前記シュート９の下端部には前記メインスクリュー８に直交する方向にバーク均しスクリュー１０が設けられ、前記シュート９により落下された前記バークを均一に均す。
前記シュート９の直下近傍に下布帛供給装置１１が設けられ、前記下布帛供給装置１１が下布帛供給装置１１に折り畳まれた下布帛を前記シュート９直下へ繰り出しする。
前記シュート９直下へ繰出された下布帛に前記シュート９から落下された前記バークを載せてシュート９の直下を経て下流末端の巻取装置１６へ下布帛を繰り出しする。
【００２０】
繰出し移送途中に上下一対の押圧ローラー２１からなるバーク圧縮装置１２を設け、前記下布帛に載ったバークを平坦状に圧縮成形する。
前記バーク圧縮装置１２の下流上方に上布帛供給装置１３が設けられ、前記上布帛供給装置１３の上布帛を圧縮されたバークの上側に被せ、下流末端の巻取装置１６へ前記上布帛、バーク及び下布帛を繰り出しする
さらに、挟み込み搬送装置１４により、前記上布帛、バーク及び下布帛を積層状に挟み込みながら圧縮搬送する。
そして、畳縫製機１５により、前記積層状の上布帛、バーク及び下布帛を生分解性を有する糸で一体に縫製する。
前記一体に縫製された上布帛、バーク及び下布帛は、前記巻取装置１６により長尺帯のロール状に巻き取られる。
【００２１】
このようにして、本発明の杉皮防草マットは、繰出された下布帛１の上に乾燥した杉のバーク２を所定厚さで載せ、前記下布帛１に前記バーク２を載せた状態で平坦状に圧縮成形し、さらに上側から前記バーク２を上布帛３で挟み圧縮移送し、この積層状の上布帛３、バーク２及び下布帛１を生分解性を有する糸４で一体に縫製し、前記一体に縫製された上布帛３、バーク２及び下布帛１を長尺帯のロール状に巻き取るものである。そのため、防草や法面の保護に利用する際に、ロールを巻き戻しながら敷設することができると共に、ロール状のマットを適宜長さに裁断して使用することができる。
【符号の説明】
【００２２】
１  下布帛
２  バーク(樹皮)
３  上布帛
４  糸
５  サイロへの粉砕送り装置
６  サイクロン
７  バーク乾燥原料サイロ
８  メインスクリュー
９  シュート
１０  バーク均しスクリュー
１１  下布帛供給装置
１２  バーク圧縮装置
１３  上布帛供給装置
１４  挟み込み搬送装置
１５  畳縫製機
１６  巻取装置
１７  吸引ホース
１８  粉砕送風機
１９  給送ダクト
２０  案内ダクト
２１  押圧ローラー
２２  消音器
【図１】
0006666128.tif 000002
【図２】
0006666128.tif 000003
【図３】
0006666128.tif 000004
【図４】
0006666128.tif 000005